(57)【要約】【課題】  過去に訪れたことの無い場所に移動した場合であっても、選局可能な放送チャンネルを素早く決定することを可能にするデジタル放送受信装置、デジタル放送システムおよびその方法を提供する。【解決手段】  トランスポートストリームから映像または音声データを抽出して、抽出されたデータを復号し、選局中のチャンネルで伝送されるトランスポートストリームから、位置情報および当該位置情報で示される位置における他の系列局のチャンネルの受信品質に関する情報を含むサービスエリア情報を抽出し、デコード部が抽出するサービスエリア情報を記憶し、選局部が選局するチャンネルの受信品質の低下を検出し、選局部が選局するチャンネルの受信品質の低下が検出された場合に、サービスエリア情報に基づき現在位置における受信可能な系列局のチャンネルを選択し、当該選択したチャンネルが選局中となるように制御する。【選択図】図１
2011082665.tif 000002
【特許請求の範囲】
【請求項１】
複数の放送局が互いに異なる周波数を用いて送信する複数のチャンネルのうち少なくとも一つのチャンネルを選局する選局部と、
前記選局部が選局するチャンネルで伝送される複数のパケットデータからなるトランスポートストリームから映像データ及び／又は音声データを抽出して、抽出された映像データ及び／又は音声データを復号して出力すると共に、前記選局中のチャンネルで伝送される前記トランスポートストリームから、位置情報および当該位置情報で示される位置における他の系列局のチャンネルの受信品質に関する情報を含むサービスエリア情報を抽出するデコード部と、
前記デコード部が抽出するサービスエリア情報を記憶する記憶部と、
前記選局部が選局するチャンネルの受信品質の低下を検出すると共に、当該選局部が選局するチャンネルの受信品質の低下が検出された場合に、前記サービスエリア情報に基づき現在位置における受信可能な系列局のチャンネルを選択し、当該選択したチャンネルを前記選局部が選局するように制御する制御部とを備えることを特徴とするデジタル放送受信装置。
【請求項２】
前記サービスエリア情報に含まれる前記受信品質に関する情報は、前記位置情報で示される位置において期待される前記系列局のチャンネルの受信電力及び／又はＣ／Ｎ値であることを特徴とする請求項１に記載のデジタル放送受信装置。
【請求項３】
前記トランスポートストリームは、自局と同系列である複数の系列局の各々について前記サービスエリア情報を含み、前記制御部は、それら複数の系列局の各々についての前記サービスエリア情報に基づき、高い受信品質が期待できる順に、それら系列局のチャンネルの受信可否を順次に判断し、受信可能と判断されたチャンネルを前記選局部が選局するように制御することを特徴とする請求項１又は２に記載のデジタル放送受信装置。
【請求項４】
前記サービスエリア情報は、セクション構造のデータ形式を用いて送信されることを特徴とする請求項１〜３のいずれかに記載のデジタル放送受信装置。
【請求項５】
前記サービスエリア情報は、セクション構造のデータカルーセル伝送方式によるデータ放送を用いてＰＳＩおよびＳＩとは異なるデータとして送信されることを特徴とする請求項１〜４のいずれかに記載のデジタル放送受信装置。
【請求項６】
前記サービスエリア情報は、前記系列局の一つのチャンネルにつき複数の前記位置情報とそれら各位置情報に対応する前記受信品質に関する情報を含むことを特徴とする請求項１〜５のいずれかに記載のデジタル放送受信装置。
【請求項７】
前記位置情報は円形の地理的範囲を示す情報であり、前記位置情報は当該円形の地理的範囲の中心の座標位置および半径を示す情報であり、前記受信品質に関する情報はその地理的範囲内において受信されるチャンネルの受信品質に関する情報であることを特徴とする請求項１〜６のいずれかに記載のデジタル放送受信装置。
【請求項８】
前記サービスエリア情報は、矩形の地理的範囲の始点座標と終点座標、およびその矩形を升目で区切る縦の分割数と横の分割数を示す情報と、それら各升目の各々において受信されるチャンネルの受信品質に関する情報とを含むことを特徴とする請求項１〜６のいずれかに記載のデジタル放送受信装置。
【請求項９】
前記位置情報は複数の座標位置からなり、前記受信品質に関する情報はそれら座標位置で囲まれる範囲内において受信されるチャンネルの受信品質に関する情報であることを特徴とする請求項１〜６のいずれかに記載のデジタル放送受信装置。
【請求項１０】
複数の放送局が互いに異なるチャンネルを用いて送信する複数のチャンネルのうち少なくとも一つのチャンネルを選局し、
選局中のチャンネルで伝送される複数のパケットデータからなるトランスポートストリームから映像データ及び／又は音声データを抽出して、抽出された映像データ及び／又は音声データを復号し、
前記選局中のチャンネルで伝送される前記トランスポートストリームから、位置情報および当該位置情報で示される位置における他の系列局のチャンネルの受信品質に関する情報を含むサービスエリア情報を抽出し、
前記デコード部が抽出するサービスエリア情報を記憶し、
前記選局部が選局するチャンネルの受信品質の低下を検出し、
前記選局部が選局するチャンネルの受信品質の低下が検出された場合に、前記サービスエリア情報に基づき現在位置における受信可能な系列局のチャンネルを選択し、
当該選択したチャンネルが選局中となるように制御する
ことを特徴とするデジタル放送受信方法。
【請求項１１】
映像データ及び／又は音声データをエンコードし、当該エンコードしたデータを固定長の複数のトランスポートパケットに変換して出力するエンコーダ部と、
位置情報および当該位置情報で示される位置における他の系列局のチャンネルの受信品質に関する情報を含むサービスエリア情報を記憶するメモリと、
前記メモリに記憶された前記サービスエリア情報を読み出して出力するデータ生成部と、
前記データ生成部が出力する前記サービスエリア情報をセクション構造のトランスポートパケットに変換して出力するセクション構造変換部と、
前記エンコーダ部が出力する複数の前記トランスポートパケットと、前記セクション構造変換部が出力する前記トランスポートパケットとを多重化してなるトランスポートストリームを出力する多重化部と、
前記多重化部が出力するトランスポートストリームを所定の周波数を用いて送信する送信処理部とを備えたことを特徴とするデジタル放送システム。
【請求項１２】
映像データ及び／又は音声データをエンコードし、当該エンコードしたデータを固定長の複数のトランスポートパケットに変換し、
位置情報および当該位置情報で示される位置における他の系列局のチャンネルの受信品質に関する情報を含むサービスエリア情報を記憶するメモリから、前記サービスエリア情報を読み出して出力し、
前記サービスエリア情報をセクション構造のトランスポートパケットに変換し、
前記トランスポートパケットと、前記セクション構造に変換後のトランスポートパケットとを多重化してトランスポートストリームを生成し、
当該生成されたトランスポートストリームを所定の周波数を用いて送信することを特徴とするデジタル放送方法。
【発明の詳細な説明】
【技術分野】
【０００１】
本発明は、デジタル放送受信装置、特に車両等に搭載されて移動するデジタル放送受信装置およびその受信方法に関する。また、当該デジタル放送受信装置に対して放送を送信するデジタル放送システムおよびその放送方法に関する。
【背景技術】
【０００２】
従来のデジタル放送受信装置では、デジタル放送の使用周波数（例えばUHFの13CH〜62CH）の最下位チャンネル（13CH）から最上位チャンネル（62CH）まで順次に選局し、選局可能である、即ちデジタルテレビ放送信号が受信可能であるチャンネルの識別情報（放送周波数など）をプリセットデータとして記憶している。
【０００３】
また、特許文献１に記載の車載用のデジタル放送受信装置では、そのようなプリセットデータの生成時に、車載の位置検出手段から得られる現在位置を示す情報を、当該プリセットデータに付与して記憶することで、その後、複数のプリセットデータの中から現在位置に適したプリセットデータを簡単に選択できるようにしている。
【先行技術文献】
【特許文献】
【０００４】
特許文献１：特開２００８−１０９３９２号公報 
【発明の概要】
【発明が解決しようとする課題】
【０００５】
しかしながら、このような特許文献１に記載のデジタル放送受信装置では、当該デジタル放送受信装置が過去に訪れたことの無い場所に移動した場合に、選局可能な放送チャンネルを素早くサーチすることができない。
【０００６】
また、移動により選局可能な放送チャンネルが変化し、受信チャンネルの切り替え先として同じ系列の放送局（即ち、系列局）をサーチする場合において、受信可能な系列局のチャンネルが複数ある場合に、その中から受信品質の良い系列局のチャンネルを素早く選局することについては考慮されていない。
【０００７】
本発明は上記の如き課題を解決するためになされたものであり、過去に訪れたことの無い場所に移動した場合であっても、選局可能な放送チャンネルを素早く選局することを可能にするデジタル放送受信装置、デジタル放送システムおよびその方法を提供する。特に、同じ系列の複数の放送局のチャンネルが受信可能な場合であって、その中から高い受信品質が期待できる系列局のチャンネルを素早く選局することができるデジタル放送受信装置、デジタル放送システムおよびその方法を提供する。
【課題を解決するための手段】
【０００８】
本発明におけるデジタル放送受信装置は、複数の放送局が互いに異なる周波数を用いて送信する複数のチャンネルのうち少なくとも一つのチャンネルを選局する選局部と、前記選局部が選局するチャンネルで伝送される複数のパケットデータからなるトランスポートストリームから映像データ及び／又は音声データを抽出して、抽出された映像データ及び／又は音声データを復号して出力すると共に、前記選局中のチャンネルで伝送される前記トランスポートストリームから、位置情報および当該位置情報で示される位置における他の系列局のチャンネルの受信品質に関する情報を含むサービスエリア情報を抽出するデコード部と、前記デコード部が抽出するサービスエリア情報を記憶する記憶部と、前記選局部が選局するチャンネルの受信品質の低下を検出すると共に、当該選局部が選局するチャンネルの受信品質の低下が検出された場合に、前記サービスエリア情報に基づき現在位置における受信可能な系列局のチャンネルを選択し、当該選択したチャンネルを前記選局部が選局するように制御する制御部とを備える。
【０００９】
また、本発明における放送受信装置は、前記トランスポートストリームは、自局と同系列である複数の他の系列局の各々について前記サービスエリア情報を含み、前記制御部は、それらサービスエリア情報に基づき、高い受信品質が期待できる順に、それら系列局のチャンネルの受信可否を順次に判断し、受信可能と判断されたチャンネルを前記選局部が選局するように制御する
【発明の効果】
【００１０】
この発明により、デジタル放送受信装置が過去に訪れたことの無い場所に移動して、視聴中のチャンネルの受信品質が低下した場合であっても、受信可能な放送チャンネルを素早く選局することができる。
【００１１】
また、複数の系列局のチャンネルが受信可能な場合であっても、その中から高い受信品質が期待できる系列局のチャンネルを素早く選局することができる
【図面の簡単な説明】
【００１２】
【図１】本発明の実施の形態１によるデジタル放送システムの構成を例示するブロック図である。
【図２】セクション構造を例示するブロック図である。
【図３】図１に示した各系列局２ａ〜２ｃの送信範囲を例示する図である。
【図４】系列局２ａのメモリ２０６ａに記憶されるサービスエリア情報を例示する図である。
【図５】図１に示したデジタル放送受信装置３の構成を例示するブロック図である。
【図６】図５に示した制御部５０７の動作を例示するフローチャートである。
【図７】図６のステップＳ７で行うランク付けを例示する図である。
【図８】サービスエリア情報のフォーマットを例示する図である。
【図９】サービスエリア情報の他のフォーマットを例示する図である。
【図１０】サービスエリア情報の他のフォーマットを例示する図である。
【発明を実施するための形態】
【００１３】
以下、本発明を日本で採用されている地上デジタル放送方式であるＩＳＤＢ−Ｔ方式に適用した場合を例にとり説明する。ＩＳＤＢ−Ｔ方式の詳細な仕様はＡＲＩＢ（社団法人電波産業会）で標準規格として定められており、キャリア変調方式としてＯＦＤＭ（ＱＰＳＫ，ＱＡＭ）方式、映像／音声符号化方式としてＭＰＥＧ−２方式を採用しているなどの特徴を有する。
実施の形態１．
【００１４】
図１は本発明の実施の形態１によるデジタル放送システムの構成を示すブロック図である。このデジタル放送システムは、系列Ａのデジタル放送親局１、同じ系列Ａに属するデジタル放送局である系列局２ａ〜２ｃ、系列Ａとは異なる系列に属する不図示の複数のデジタル放送親局および当該系列Ａ以外に属する系列局などからなる。このようなデジタル放送システムから送信される放送波はデジタル放送受信装置３により受信される。
【００１５】
図１において、系列Ａのデジタル放送親局１は、映像・音声データなどの番組素材１０１、および当該番組に関する情報である番組情報１０２（例えば、番組名など）を、同じ系列Aに属する複数の系列局２ａ〜２ｃに対して、任意の通信手段または記録媒体を介して配信する。
【００１６】
以下、系列局２ａ〜２ｃの基本的な構成は同じであるものとし、ここでは系列局２ａの構成を例にとり説明する。デジタル放送親局１から系列局２ａに配信される番組素材１０１、即ち、映像データおよび音声データは、映像・音声エンコーダ２０１ａにおいてエンコードされ、トランスポートパケット（Transport Packet）形式の固定長パケットに変換されて、多重化部２０４ａへ出力される。また、デジタル放送親局１から系列局２ａに配信される番組情報１０２は、制御データ生成部２０２ａに入力される。映像・音声エンコーダ２０１ａおよび制御データ生成部２０２ａには、放送親局１から配信されるものの他、時間帯によってその系列局２ａに固有の番組素材や番組情報が入力されてもよい。
【００１７】
制御データ生成部２０２ａは、入力された当該番組情報と、自局のメモリ２０６ａに予め記憶される制御情報とに基づき、後述する制御データ（ＰＳＩ／ＳＩ、サービスエリア情報）を生成し、生成した制御データをセクション構造変換２０３ａへ出力する。セクション構造変換２０３ａでは、入力されたそれら制御データをセクション構造のトランスポートパケットに変換し、多重化部２０４ａへ出力する。ここでセクション構造は、ISO/IEC 13818-1で規定されるデータ形式であり、例えば図２に示すデータ構造を有している。図１では、サービスエリア情報を、当該ISO/IEC 13818-1やＡＲＩＢ標準規格で規定されるＰＳＩ／ＳＩとは異なるデータ放送として、セクション構造のデータ領域４００に含めて送信するが、ＰＳＩ／ＳＩ内のユーザ定義領域内にサービスエリア情報を含めて送信してもよい、あるいはＰＳＩ／ＳＩにサービスエリア情報を含めることを規格により定めるようにしてもよい。
【００１８】
多重化部２０４ａは映像・音声エンコーダ２０１ａから出力されるトランスポートパケット形式の映像・音声データと、セクション構造変換２０３ａから出力されるトランスポートパケット形式の制御データとを多重化して、ＭＰＥＧ２−ＴＳ（トランスポートストリーム）として送信処理部２０５ａへ出力する。送信処理部２０５ａは、多重化部２０４ａから出力される多重化後のＭＰＥＧ２−ＴＳを、系列局２ａに固有の送信周波数（チャンネル）を用いて系列局２ａのサービスエリア内に放送する。
【００１９】
図３は、各系列局２ａ〜２ｃの送信処理部２０５ａ〜２０５ｃの送信範囲を例示する図、即ち、各系列局２ａ〜２ｃのサービスエリア（例えば放送波が-80dBm以上の範囲）４０１ａ〜４０１ｃを例示する図である。このように各系列局２ａ〜２ｃは互いに異なるサービスエリア４０１ａ〜４０１ｃを有しており、それらサービスエリアの一部が互いに重複してもよい。
【００２０】
図１の制御データ生成部２０２ａが生成する制御データについて説明する。制御データ生成部２０２ａはISO/IEC 13818-1及びＡＲＩＢ規格で規定されるＳＩ（番組配列情報,Service Information）及びＰＳＩ（番組特定情報,Program Specific Information）等の情報テーブルを生成し、それらＳＩ及びＰＳＩ等の情報テーブルをセクション構造変換２０３ａへ出力する。番組配列情報ＳＩは番組情報や放送局名等の情報を管理するための情報であり、番組特定情報ＰＳＩは、映像・音声信号の選択、及びサービスの選択などに使用される情報である。番組特定情報ＰＳＩとしては、例えばＰＡＴ（Program Association Table）、ＰＭＴ（Program Map Table）、ＮＩＴ（Network Information Table）、ＣＡＴ（Conditional Access Table）などがあり、番組配列情報ＳＩとしては、ＢＩＴ（Broadcaster Information Table）、ＳＤＴ(Service Description Table)、ＥＩＴ（Event Informaiton Table）などがある。
【００２１】
また、図１の制御データ生成部２０２ａは、メモリ部２０６ａに予め記憶されるサービスエリア情報を読み出して、セクション構造変換２０３ａに対し繰り返し出力する。このように繰り返し出力することで、当該サービスエリア情報はデータカルーセル伝送方式（一定長のデータを繰り返し伝送する方式）でデータ放送される。
【００２２】
図４は系列局２ａのメモリ２０６ａに予め記憶されるサービスエリア情報を例示する図である。図４に示すように、系列局２ａのメモリ２０６ａには、自局２ａ以外の系列局２ｂ及び２ｃについてのサービスエリア情報３ｂ及び３ｃが記憶されている。これらサービスエリア情報は、系列局の送信周波数情報１１ｂ，１１ｃと、地理的範囲を示す位置情報１２ｂ，１２ｃと、その範囲内での受信品質に関する情報１３ｂ，１３ｃとを含んでいる。
【００２３】
具体的には、図４では、系列局２ｂについてのサービスエリア情報として、系列局２ｂの送信周波数情報１１ｂと、中心位置Ｏおよび半径ｒを示す位置情報１２ｂと、その円内で系列局２ｂの放送波の電力が何ｄＢｍ以上見込めるかを示す受信品質情報１３ｂとが対応づけられている。図４に示すように、サービスエリア情報は一つの系列局２ｂに対し、複数の地理的範囲１２ｂ，１２ｂ’について受信品質情報を有してもよい。その際、それら複数の地理的範囲は、互いに重なる部分を有してもよい。
【００２４】
また、系列局２ｃについても同様に、サービスエリア情報として、系列局２ｃの送信周波数情報１１ｃと、中心位置Ｏおよび半径ｒを示す地理的範囲情報１２ｃと、その円内で系列局２ｃの放送波の受信電力が何ｄＢｍ以上見込めるかを示す受信品質情報１３ｃとが対応づけられている。
【００２５】
図４に示すサービスエリア情報において、パラメータＦは系列局の送信周波数に対応するチャンネル番号を示し、「−６０ｄＢ｛  ｝」はパラメータＦで特定される放送波が括弧｛｝内の地理的範囲において−６０ｄＢｍ以上の受信品質が得られること示し、当該括弧内のパラメータＯは中心位置の緯度及び経度、パラメータｒは当該中心位置からの半径を示している。
【００２６】
このように、系列局２ａは映像データおよび音声データに加えて、隣接する系列局２ｂおよび系列局２ｃに関するサービスエリア情報３ｂ，３ｃをセクション構造によりデータ放送する。このサービスエリア情報は、デジタル放送受信装置３において何時でも取得できることが好ましく、制御データ生成部２０２ａから繰り返し出力される、即ち、データカルーセル伝送方式により放送される。また、ここでは系列局２ａが隣接する系列局２ｂ、２ｃについてのサービスエリア情報を放送することについて説明したが、系列局２ｂ，２ｃも同様に隣接する一つまたは複数の系列局についてのサービスエリア情報を放送する。
【００２７】
図５は、図１に示したデジタル放送受信装置３の構成を示すブロック図である。フロントエンド部５０２は、アンテナ５０１で受けた放送波を増幅し、その後の信号処理に適した信号ＩＦに変換する。このフロントエンド部５０２は、中心周波数が可変な不図示のバンド・パス・フィルタを有しており、このバンド・パス・フィルタが通過する信号の中心周波数を制御することで、所望のチャンネルの信号ＩＦだけを出力させる、即ち、選局を行うことができる。
【００２８】
ＯＦＤＭ復調部５０３は、フロントエンド部５０２から出力される信号ＩＦのＯＦＤＭを復調し、ビタビ復号などの誤り訂正処理を行うことで、ＭＰＥＧ−ＴＳ（Transport Stream）信号を出力する。また、ＯＦＤＭ復調部５０３は、信号とノイズのレベル比であるＣ／Ｎ値など、現在選局中のチャンネルの受信品質情報を後述する制御部５０７へ出力する。
【００２９】
ＭＰＥＧデコーダ５０４は、ＴＳデコード５０５とＡＶデコード５０６とから構成される。ＴＳデコード５０５は、ＯＦＤＭ復調部５０３から入力されるＭＰＥＧ−ＴＳ信号からＥＳ（Elementary Stream）形式の映像・音声データを分離してＡＶデコード５０６へ出力すると共に、ＰＳＩ／ＳＩなどの制御データや上述のサービスエリア情報などを抽出して制御部５０７へ出力する。ＡＶデコード５０６は、ＴＳデコード５０５から入力される映像・音声データを復号化し、復号化後の映像・音声データを映像表示装置／音声出力装置としてのディスプレイ／スピーカ５０８に対して出力する。
【００３０】
制御部５０７は、ＴＳデコード５０５で分離された上述のサービスエリア情報をメモリ５１０に記憶保持する。ＧＰＳ受信部５１２は、ＧＰＳアンテナ５１１で受けた複数のＧＰＳ衛星からの受信信号に基づき現在位置を演算し、演算結果を現在位置情報として制御部５０７へ出力する。制御部５０７は、ＯＦＤＭ復調部５０３が出力する受信品質情報を監視し、選局中のチャンネルが受信できなくなるなど受信品質が所定値以下となった場合に、メモリ５１０に記憶保持されたサービスエリア情報に基づき、チャンネルサーチを開始する。
【００３１】
更に詳しくは、制御部５０７は、ＧＰＳ受信部５１２から入力される現在位置情報により現在位置を特定し、現在位置における各系列局のチャンネルの受信品質を、メモリ５１０に記憶されたサービスエリア情報に基づき推測する。その後、当該推測結果に基づき、現在位置において受信できる可能性の高い系列局のチャンネルから順に受信可否を確認する。各系列局のチャンネルの周波数は、図４に示したサービスエリア情報内のパラメータＦにより知ることができ、制御部５０７はフロントエンド部５０２内の不図示のバンド・パス・フィルタの中心周波数を、それらパラメータＦで示される周波数に順次に選局信号で切り替えながら、ＯＦＤＭ復調部が出力する受信品質情報を確認することにより、各系列局のチャンネルの受信可否を確認する。制御部５０７は、そのように受信できる可能性の高い系列局のチャンネルから順に受信可否を確認し、受信可能なチャンネルが見つかった時点で、当該サーチを終了し、その受信可能なチャンネルを新たに選局するチャンネルとして決定する。
【００３２】
なお、制御部５０７は、このようなサービスエリア情報を用いる処理の他、ＰＳＩ／ＳＩ等の制御データに基づく処理も行うが、ＰＳＩ／ＳＩに基づく処理はＡＲＩＢ標準規格などに記載されており、ここでの説明は省略する。
【００３３】
図６は、図５に示した制御部５０７の動作を示すフローチャートである。ここでは、図５に示すデジタル放送受信装置が、図３に示した系列局２ａのサービスエリア４０１ａ内から当該系列局２ａのサービスエリア外４０１ｃへ移動する場合を例にとり、図６に示した動作について説明する。
【００３４】
なお、説明の簡単化のため、図６のステップＳ１では既に系列局２ａのチャンネルを選局中であるものとして説明する。ステップＳ２において、図５の制御部５０７はＯＦＤＭ復調部５０３からの受信品質情報に基づき、選局中の系列局２ａのチャンネル（サービス）が受信可能か否か判断する。受信可能である場合には、ステップＳ３において当該選局中のチャンネルで送信されるサービスエリア情報３ｂ，３ｃを受信することができ、当該受信したサービスエリア情報３ｂ，３ｃをメモリ５１０に記憶する。この系列局２ａから送信されるサービスエリア情報３ｂ，３ｃには、図４に示すような他の系列局２ｂ，２ｃの送信周波数情報１１ｂ，１１ｃ、地理的範囲を示す位置情報１２ｂ，１２ｃ、およびその範囲内での受信品質に関する情報１３ｂ，１３ｃが含まれる。また、メモリ５１０には、ＧＰＳ受信部５１２が演算した現在位置情報が、随時更新しながら記憶される。
【００３５】
ステップＳ２において、選局中の系列局２ａのチャンネルが受信不可と判断されるなど選局中のチャンネルの受信品質が所定値以下となったと判断される場合には、ステップＳ４において、メモリ５１０に記憶されるサービスエリア情報および現在位置情報に基づいて、当該現在位置における他の系列局２ｂ，２ｃの放送波の受信品質を推測し、その受信品質をランク付けする。
【００３６】
さらに詳しくは、例えば現在位置が図３に示すＰ点であり、メモリ５１０には図４に示すサービスエリア情報が記憶されている場合、当該サービスエリア情報に基づき、Ｐ点における系列局２ｂの放送波の受信品質は−６０ｄＢｍが推測され、系列局２ｃの放送波の受信品質は−８０ｄＢｍが推測されることから、放送波を受信できる可能性が高い系列局の順番として、図７に示すように、系列局２ｂ、系列局２ｃの順を決定する。また各系列局の送信周波数は当該サービスエリア情報から２１ＣＨ、３０ＣＨであることを知ることができる。
【００３７】
ステップＳ５では、ステップＳ４でのランク付けに従い、チャンネルが受信できる可能性が最も高いと判断される系列局２ｂのチャンネルをサーチする。具体的には、制御部５０７はフロントエンド部５０２に対して選局信号を出力することにより、フロントエンド部５０２内の不図示のバンド・パス・フィルタの中心周波数を系列局ｂの送信周波数である２１ＣＨに設定し、ＯＦＤＭ５０３が出力する受信品質情報に基づき、当該系列局２ｂのチャンネル（サービス）の受信可否を検出する。
【００３８】
ステップＳ５の処理の結果、ステップＳ６で系列局２ｂのチャンネルが受信できたと判断された場合には、当該チャンネルをそれ以降選局し続けるものとし、ステップＳ７で図６のフローを終了する。逆に、ステップＳ５の処理の結果、ステップＳ６で系列局２ｂのチャンネルが受信できないと判断された場合には、ステップＳ８において、サービスエリア情報で示された全系列局についてのサーチが終わったかを判断し、終わったと判断される場合には、ステップＳ７でフローを終了する。ステップＳ８で、全系列局のサーチを終えてないと判断される場合は、ステップＳ９で図７に示したランク付けに従い、次にランクの高い、即ち、受信できる可能性が次に高いと判断された系列局２ｃのチャンネルのサーチに移行する。
【００３９】
以上のように、本実施の形態におけるデジタル放送受信装置は、複数の系列局２ａ〜２ｃが互いに異なる周波数を用いて送信する複数のチャンネルのうち、系列局２ａが送信するチャンネルをフロントエンド部５０２が選局し、フロントエンド部５０２が選局するチャンネルで伝送されるトランスポートストリームＭＰＥＧ−ＴＳから、図４に示すようなサービスエリア情報３ｂ，３ｃをＴＳデコード５０５が抽出し、当該抽出されたサービスエリア情報をメモリ５１０が記憶し、フロントエンド部５０２が選局するチャンネルの受信品質をＯＦＤＭ復調部５０３が出力し、ＯＦＤＭ復調部５０３が出力する受信品質情報に基づいて、フロントエンド部５０２が選局するチャンネルの受信品質の低下を制御部５０７が検出し、当該受信品質の低下が検出された場合に、制御部５０７は、前記サービスエリア情報３ｂ，３ｃに基づき現在位置における受信可能な系列局２ｂまたは２ｃのチャンネルを選択し、当該選択したチャンネルを前記フロントエンド部５０２が選局するように制御するので、過去に訪れたことの無い場所に移動した場合であっても、その場で選局可能な放送チャンネルを素早く決定することができる。
【００４０】
なお、ここではサービスエリア情報の受信品質情報として、期待し得る放送波の受信電力(ｄBｍ)を用いたが、当該受信品質情報として、代表的なデジタル放送受信装置でのC／N値の測定値を、受信電力(ｄBｍ)の代わりに、あるいは受信電力(ｄBｍ)に加えて用いてもよい。
【００４１】
また、ここでは各放送局が自局以外の他局についてのサービスエリア情報をデータ放送にて送信する場合について示したが、各放送局が自局についてのサービスエリア情報をもデータ放送にて送信するようにしてもよい。
実施の形態２．
【００４２】
実施の形態２では、サービスエリア情報を図８（ａ）に示すフォーマットで記述する。
即ち、地理的範囲を、矩形を表す始点座標と終点座標、その矩形を升目で区切る縦の分割数と横の分割数で記述しており、各枡目で見込める受信品質を、所定の順番で（ここでは図８（ａ）の左上からＡ〜Ｌの順で）カンマ記号で区切って記述している。
【００４３】
図８（ａ）において、パラメータ「start」は、矩形を表す始点座標を示し、パラメータ「end」は当該矩形の終点座標を示し、パラメータ「X」は当該矩形を升目で区切る縦の分割数を示し、パラメータ「Ｙ」は当該矩形を升目で区切る横の分割数を示し、パラメータ「Ｃ／Ｎ」は各升目で見込め受信品質を示している。これにより、図８（ｂ）に示すように、サービスエリア内の各升目領域における受信品質の見込み値を、簡単なフォーマットで記述することが可能となる。デジタル放送システムおよびデジタル放送受信装置のその他の動作は、実施の形態１と同様である。
【００４４】
以上のように、本実施の形態においては、上記のようなフォーマットでサービスエリア情報を記載するので、サービスエリアの範囲内の受信品質についての情報を、より詳細に記述することができる。  
実施の形態３．
【００４５】
実施の形態３では、サービスエリア情報を図９（ａ）に示すフォーマットで記述する。
即ち、地理的範囲を、３点以上の座標で囲まれる範囲として記述し、その範囲内で、放送波の受信電力が何ｄＢｍ以上を見込めるか記述している。
図９（ａ）において、「ＸｄＢｍ｛  ｝」は括弧内の地理的範囲において受信電力がＸｄＢｍ以上（Ｘは数値）の受信品質が得られることを示し、当該括弧内の「N a:a:a.a , E b:b:b,b 」、「N c:c:c.c , E d:d:d,d 」、「N e:e:e.e , E f:f:f,f 」、及び「N g:g:g.g , E h:h:h,h 」はそれぞれ図９（ｂ）に示す４点で囲まれる領域の左上、右上、左下、右下の各座標を示す経度、緯度である。デジタル放送システムおよびデジタル放送受信装置のその他の動作は、実施の形態１と同様である。
【００４６】
以上のように、本実施の形態においては、上記のようなフォーマットでサービスエリア情報を記載するので、実際の受信電力分布に近い形状で地理的範囲を表すことができる。
実施の形態４．
【００４７】
実施の形態１〜３では、選局中のチャンネルの受信中に、その他の系列局についてのサービスエリア情報を受信することにより、その後、選局中のチャンネルが受信できなくなった場合であっても、当該サービスエリア情報に基づき、受信可能なその他の系列局のチャンネルを素早くサーチすることが可能であることを説明した。
本実施の形態においては、その際にサーチされたチャンネルのＣ／Ｎ値や受信電力値などの受信品質情報を、現在位置情報と対応づけてメモリに記憶し、上述の系列局のランク付けの際に、当該記憶した受信品質情報を用いることにより、ランク付けの精度を向上させ、系列局のサーチ時間を短縮する。
【００４８】
図１０は、本実施の形態における図５に示した制御部５０７の動作を示すフローチャートである。ステップＳ１３およびステップ１４以外の動作は、図６に示したフローチャートと同様の動作を行うので、説明を省略する。
【００４９】
図１０において、ステップＳ２において選局中のチャンネルが受信可能であると判断される場合には、ステップＳ１３において、当該選局中のチャンネルを用いて送信されるサービスエリア情報を受信することができ、当該受信したサービスエリア情報をメモリ５１０に記憶する。このサービスエリア情報には、図４に示すような他の系列局２ｂ，２ｃの送信周波数情報、地理的範囲を示す位置情報、およびその範囲内での受信品質に関する情報が含まれる。また、メモリ５１０には、ＧＰＳ受信部５１２が演算した現在位置情報が、随時更新しながら記憶される。また、本実施の形態において特徴的な点として、ステップＳ１３において、制御部５０７が選局中のチャンネルで受信されるサービスエリア情報に加え、当該選局中のチャンネルについてＯＦＤＭ復調部５０３が出力する受信品質情報を上記現在位置情報と対応づけてメモリ５１０に記憶する。
【００５０】
このメモリ５１０に記憶された受信品質情報は、ステップＳ１４において用いられる。即ち、ステップＳ１４では、ステップＳ２において選局中の系列局２ａのチャンネルが受信不可と判断されるなど選局中のチャンネルの受信品質が所定値以下となったと判断される場合に、メモリ５１０に記憶されるサービスエリア情報および現在位置情報に加え、メモリ５１０に記憶される上述の受信品質情報に基づいて、当該現在位置における他の系列局２ｂ，２ｃの放送波の受信品質を推測し、その受信品質をランク付けする。
【００５１】
たとえば受信品質のランク付けの際、現在位置における過去のサーチ時の受信品質情報がメモリ５１０に記憶されたチャンネルについては、その過去のサーチ時の受信品質情報を、サービスエリア情報内の受信品質情報に置き換えてランク付けを行い、記憶されていないチャンネルについては、そのままサービスエリア情報に含まれる受信品質情報を用いて、当該ランク付けを行う。
【００５２】
以上のように、本実施の形態においては、選局中のチャンネルのＣ／Ｎ値や受信電力値などの受信品質情報を、現在位置情報と対応づけてメモリに記憶し、上述の系列局のランク付けの際に、サービスエリア情報とともに当該記憶した受信品質情報を用いることにより、ランク付けの精度を向上させ、系列局のサーチ時間を短縮する。
【符号の説明】
【００５３】
１  デジタル放送親局、２ａ〜２ｃ  同じ系列Ａの放送局、２０１  映像・音声エンコーダ、２０２ａ  制御データ生成部、２０３ａ  セクション構造変換、２０４ａ  多重化部、２０５ａ  送信処理部、２０６ａ  メモリ、３  デジタル放送受信装置、３ｂ，３ｃ  サービスエリア情報、５０２  フロントエンド部、５０３  ＯＦＤＭ復調部、５０４  ＭＰＥＧデコーダ部、５０７  制御部。
【図１】
2011082665.tif 000003
【図２】
2011082665.tif 000004
【図３】
2011082665.tif 000005
【図４】
2011082665.tif 000006
【図５】
2011082665.tif 000007
【図６】
2011082665.tif 000008
【図７】
2011082665.tif 000009
【図８】
2011082665.tif 000010
【図９】
2011082665.tif 000011
【図１０】
2011082665.tif 000012